【手続補正書】
【提出日】平成26年1月15日(2014.1.15)
【手続補正１】
【補正対象書類名】特許請求の範囲
【補正対象項目名】全文
【補正方法】変更
【補正の内容】
【特許請求の範囲】
【請求項１】
取引対象に関する情報への参照を保持する参照リストにユーザにより登録された取引対象を示す参照リスト登録情報として、前記ユーザにより指定された検索条件に基づいて検索された複数の取引対象のうち該ユーザの前記参照リストに登録された取引対象を示す取引対象情報と、該検索条件とを対応付けて記憶する記憶手段に前記参照リスト登録情報が記憶されている取引対象のうち、前記ユーザの要求に応じて該ユーザにより指定された検索条件に基づいて検索されて一覧表示の対象とされた複数の取引対象の中から、該検索条件とは異なる検索条件と対応付けて前記取引対象情報が記憶されている取引対象を特定する特定手段と、
前記特定手段により特定された取引対象の前記一覧表示における表示態様を、前記特定手段により特定されない場合の表示態様よりも目立つ表示態様に変える制御手段と、
を備えることを特徴とする情報処理装置。
【請求項２】
請求項１に記載の情報処理装置において、
前記特定手段は、前記ユーザの要求に応じて該ユーザにより指定された検索条件とは異なる検索条件と対応付けて前記取引対象情報が記憶されている取引対象に関連する取引対象を更に特定し、
前記制御手段は、前記特定手段により特定された取引対象の表示態様を、前記特定手段により特定されない場合の表示態様よりも目立つ表示態様に変えることを特徴とする情報処理装置。
【請求項３】
請求項１または請求項２に記載の情報処理装置において、
前記制御手段は、前記一覧表示の対象とされた取引対象の数が多いほど、前記特定手段により特定された取引対象の表示態様の変化量を大きくすることを特徴とする情報処理装置。
【請求項４】
ユーザの要求に応じて一覧表示の対象とされた複数の取引対象の中から、取引対象に関する情報への参照を保持する参照リストからユーザにより削除された取引対象を示す参照リスト削除情報を記憶する記憶手段に前記参照リスト削除情報が記憶されている取引対象を特定する特定手段と、
前記特定手段により特定された取引対象が前記参照リストから削除されるよりも前に該取引対象が前記ユーザにより購入されたか否かを判定する判定手段と、
前記特定手段により特定された取引対象の前記一覧表示における表示態様を、前記特定手段により特定されない場合の表示態様よりも目立たない表示態様に変える制御手段であって、前記判定手段により購入されていないと判定された場合、購入されたと判定された場合よりも前記特定手段により特定された取引対象の表示態様の変化量を大きくする制御手段と、
を備えることを特徴とする情報処理装置。
【請求項５】
情報処理装置により実行される情報処理方法であって、
取引対象に関する情報への参照を保持する参照リストにユーザにより登録された取引対象を示す参照リスト登録情報として、前記ユーザにより指定された検索条件に基づいて検索された複数の取引対象のうち該ユーザの前記参照リストに登録された取引対象を示す取引対象情報と、該検索条件とを対応付けて記憶する記憶手段に前記参照リスト登録情報が記憶されている取引対象のうち、前記ユーザの要求に応じて該ユーザにより指定された検索条件に基づいて検索されて一覧表示の対象とされた複数の取引対象の中から、該検索条件とは異なる検索条件と対応付けて前記取引対象情報が記憶されている取引対象を特定する特定ステップと、
前記特定ステップにおいて特定された取引対象の前記一覧表示における表示態様を、前記特定ステップにおいて特定されない場合の表示態様よりも目立つ表示態様に変える制御ステップと、
を含むことを特徴とする情報処理方法。
【請求項６】
情報処理装置により実行される情報処理方法であって、
ユーザの要求に応じて一覧表示の対象とされた複数の取引対象の中から、取引対象に関する情報への参照を保持する参照リストからユーザにより削除された取引対象を示す参照リスト削除情報を記憶する記憶手段に前記参照リスト削除情報が記憶されている取引対象を特定する特定ステップと、
前記特定ステップにおいて特定された取引対象が前記参照リストから削除されるよりも前に該取引対象が前記ユーザにより購入されたか否かを判定する判定ステップと、
前記特定ステップにおいて特定された取引対象の前記一覧表示における表示態様を、前記特定ステップにおいて特定されない場合の表示態様よりも目立たない表示態様に変える制御ステップであって、前記判定ステップにおいて購入されていないと判定された場合、購入されたと判定された場合よりも前記特定ステップにおいて特定された取引対象の表示態様の変化量を大きくする制御ステップと、
を含むことを特徴とする情報処理方法。
【請求項７】
情報処理装置に含まれるコンピュータを、
取引対象に関する情報への参照を保持する参照リストにユーザにより登録された取引対象を示す参照リスト登録情報として、前記ユーザにより指定された検索条件に基づいて検索された複数の取引対象のうち該ユーザの前記参照リストに登録された取引対象を示す取引対象情報と、該検索条件とを対応付けて記憶する記憶手段に前記参照リスト登録情報が記憶されている取引対象のうち、前記ユーザの要求に応じて該ユーザにより指定された検索条件に基づいて検索されて一覧表示の対象とされた複数の取引対象の中から、該検索条件とは異なる検索条件と対応付けて前記取引対象情報が記憶されている取引対象を特定する特定手段、及び、
前記特定手段により特定された取引対象の前記一覧表示における表示態様を、前記特定手段により特定されない場合の表示態様よりも目立つ表示態様に変える制御手段、
として機能させることを特徴とする情報処理プログラム。
【請求項８】
情報処理装置に含まれるコンピュータを、
ユーザの要求に応じて一覧表示の対象とされた複数の取引対象の中から、取引対象に関する情報への参照を保持する参照リストからユーザにより削除された取引対象を示す参照リスト削除情報を記憶する記憶手段に前記参照リスト削除情報が記憶されている取引対象を特定する特定手段、
前記特定手段により特定された取引対象が前記参照リストから削除されるよりも前に該取引対象が前記ユーザにより購入されたか否かを判定する判定手段、及び、
前記特定手段により特定された取引対象の前記一覧表示における表示態様を、前記特定手段により特定されない場合の表示態様よりも目立たない表示態様に変える制御手段であって、前記判定手段により購入されていないと判定された場合、購入されたと判定された場合よりも前記特定手段により特定された取引対象の表示態様の変化量を大きくする制御手段、
として機能させることを特徴とする情報処理プログラム。
【手続補正２】
【補正対象書類名】明細書
【補正対象項目名】発明の名称
【補正方法】変更
【補正の内容】
【発明の名称】情報処理装置、情報処理方法、及び情報処理プログラム
【手続補正３】
【補正対象書類名】明細書
【補正対象項目名】０００７
【補正方法】変更
【補正の内容】
【０００７】
本発明は、以上の点に鑑みてなされたものであり、複数の取引対象の一覧表示を、ユーザの興味に応じてユーザに適した表示にすることができる情報処理装置、情報処理方法、及び情報処理プログラムを提供することを目的とする。
【手続補正４】
【補正対象書類名】明細書
【補正対象項目名】０００８
【補正方法】変更
【補正の内容】
【０００８】
上記課題を解決するために、請求項１に記載の発明は、取引対象に関する情報への参照を保持する参照リストにユーザにより登録された取引対象を示す参照リスト登録情報として、前記ユーザにより指定された検索条件に基づいて検索された複数の取引対象のうち該ユーザの前記参照リストに登録された取引対象を示す取引対象情報と、該検索条件とを対応付けて記憶する記憶手段に前記参照リスト登録情報が記憶されている取引対象のうち、前記ユーザの要求に応じて該ユーザにより指定された検索条件に基づいて検索されて一覧表示の対象とされた複数の取引対象の中から、該検索条件とは異なる検索条件と対応付けて前記取引対象情報が記憶されている取引対象を特定する特定手段と、前記特定手段により特定された取引対象の前記一覧表示における表示態様を、前記特定手段により特定されない場合の表示態様よりも目立つ表示態様に変える制御手段と、を備えることを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
また、この発明によれば、ある検索条件で検索されて参照リストに登録された取引対象が、その後別の検索条件で検索された場合に、その取引対象が参照リストに登録されていない場合よりも目立つ態様で検索結果の一覧内に表示される。従って、ユーザはその取引対象が一覧の中にあることに気がつきやすくなる。そのため、ユーザが指定したある観点の条件を満たす参照リストの取引対象が、ユーザが指定した別の観点の条件をも満たすことを容易に知ることができる。
【手続補正７】
【補正対象書類名】明細書
【補正対象項目名】００１２
【補正方法】変更
【補正の内容】
【００１２】
請求項２に記載の発明は、請求項１に記載の情報処理装置において、前記特定手段は、前記ユーザの要求に応じて該ユーザにより指定された検索条件とは異なる検索条件と対応付けて前記取引対象情報が記憶されている取引対象に関連する取引対象を更に特定し、前記制御手段は、前記特定手段により特定された取引対象の表示態様を、前記特定手段により特定されない場合の表示態様よりも目立つ表示態様に変えることを特徴とする。
【手続補正８】
【補正対象書類名】明細書
【補正対象項目名】００１３
【補正方法】変更
【補正の内容】
【００１３】
この発明によれば、参照リストに登録された取引対象に関連する取引対象が、参照リストに登録された取引対象に関連する取引対象ではない場合よりも目立つ態様で一覧内に表示される。ユーザが興味を持つ取引対象に関連する取引対象も、ユーザが興味を持つ蓋然性が高いので、ユーザは、興味を持つ蓋然性が高い取引対象が一覧の中にあることに気がつきやすくなる。
【手続補正９】
【補正対象書類名】明細書
【補正対象項目名】００１４
【補正方法】変更
【補正の内容】
【００１４】
請求項３に記載の発明は、請求項１または請求項２に記載の情報処理装置において、前記制御手段は、前記一覧表示の対象とされた取引対象の数が多いほど、前記特定手段により特定された取引対象の表示態様の変化量を大きくすることを特徴とする。
【手続補正１０】
【補正対象書類名】明細書
【補正対象項目名】００１６
【補正方法】変更
【補正の内容】
【００１６】
請求項４に記載の発明は、ユーザの要求に応じて一覧表示の対象とされた複数の取引対象の中から、取引対象に関する情報への参照を保持する参照リストからユーザにより削除された取引対象を示す参照リスト削除情報を記憶する記憶手段に前記参照リスト削除情報が記憶されている取引対象を特定する特定手段と、前記特定手段により特定された取引対象が前記参照リストから削除されるよりも前に該取引対象が前記ユーザにより購入されたか否かを判定する判定手段と、前記特定手段により特定された取引対象の前記一覧表示における表示態様を、前記特定手段により特定されない場合の表示態様よりも目立たない表示態様に変える制御手段であって、前記判定手段により購入されていないと判定された場合、購入されたと判定された場合よりも前記特定手段により特定された取引対象の表示態様の変化量を大きくする制御手段と、を備えることを特徴とする。
【手続補正１１】
【補正対象書類名】明細書
【補正対象項目名】００１７
【補正方法】変更
【補正の内容】
【００１７】
この発明によれば、参照リストに登録されている取引対象はユーザが興味を持っている取引対象である蓋然性が高く、参照リストから削除された取引対象はユーザが興味を失った取引対象である蓋然性が高いので、複数の取引対象の一覧表示を、ユーザの興味に応じてそのユーザに適した表示にすることができる。
また、この発明によれば、参照リストから削除された取引対象が、参照リストから削除されたことがない場合よりも目立たない態様で検索結果の一覧内に表示される。そのため、ユーザが興味を失った取引対象が一覧の中にあることに気がつきにくくなるので、その取引対象が他の取引対象の閲覧の邪魔になることを防止することができる。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
また、この発明によれば、ユーザが参照リストから削除する前に購入しなかった取引対象は、購入した取引対象よりも興味がない取引対象である。そのため、より興味を失った取引対象が他の取引対象の閲覧の邪魔になることを防止することができる。
【手続補正１４】
【補正対象書類名】明細書
【補正対象項目名】００２０
【補正方法】変更
【補正の内容】
【００２０】
請求項５に記載の発明は、情報処理装置により実行される情報処理方法であって、取引対象に関する情報への参照を保持する参照リストにユーザにより登録された取引対象を示す参照リスト登録情報として、前記ユーザにより指定された検索条件に基づいて検索された複数の取引対象のうち該ユーザの前記参照リストに登録された取引対象を示す取引対象情報と、該検索条件とを対応付けて記憶する記憶手段に前記参照リスト登録情報が記憶されている取引対象のうち、前記ユーザの要求に応じて該ユーザにより指定された検索条件に基づいて検索されて一覧表示の対象とされた複数の取引対象の中から、該検索条件とは異なる検索条件と対応付けて前記取引対象情報が記憶されている取引対象を特定する特定ステップと、前記特定ステップにおいて特定された取引対象の前記一覧表示における表示態様を、前記特定ステップにおいて特定されない場合の表示態様よりも目立つ表示態様に変える制御ステップと、を含むことを特徴とする。
請求項６に記載の発明は、情報処理装置により実行される情報処理方法であって、ユーザの要求に応じて一覧表示の対象とされた複数の取引対象の中から、取引対象に関する情報への参照を保持する参照リストからユーザにより削除された取引対象を示す参照リスト削除情報を記憶する記憶手段に前記参照リスト削除情報が記憶されている取引対象を特定する特定ステップと、前記特定ステップにおいて特定された取引対象が前記参照リストから削除されるよりも前に該取引対象が前記ユーザにより購入されたか否かを判定する判定ステップと、前記特定ステップにおいて特定された取引対象の前記一覧表示における表示態様を、前記特定ステップにおいて特定されない場合の表示態様よりも目立たない表示態様に変える制御ステップであって、前記判定ステップにおいて購入されていないと判定された場合、購入されたと判定された場合よりも前記特定ステップにおいて特定された取引対象の表示態様の変化量を大きくする制御ステップと、を含むことを特徴とする
【手続補正１５】
【補正対象書類名】明細書
【補正対象項目名】００２１
【補正方法】変更
【補正の内容】
【００２１】
請求項７に記載の発明は、情報処理装置に含まれるコンピュータを、取引対象に関する情報への参照を保持する参照リストにユーザにより登録された取引対象を示す参照リスト登録情報として、前記ユーザにより指定された検索条件に基づいて検索された複数の取引対象のうち該ユーザの前記参照リストに登録された取引対象を示す取引対象情報と、該検索条件とを対応付けて記憶する記憶手段に前記参照リスト登録情報が記憶されている取引対象のうち、前記ユーザの要求に応じて該ユーザにより指定された検索条件に基づいて検索されて一覧表示の対象とされた複数の取引対象の中から、該検索条件とは異なる検索条件と対応付けて前記取引対象情報が記憶されている取引対象を特定する特定手段、及び、前記特定手段により特定された取引対象の前記一覧表示における表示態様を、前記特定手段により特定されない場合の表示態様よりも目立つ表示態様に変える制御手段、として機能させることを特徴とする。
請求項８に記載の発明は、情報処理装置に含まれるコンピュータを、ユーザの要求に応じて一覧表示の対象とされた複数の取引対象の中から、取引対象に関する情報への参照を保持する参照リストからユーザにより削除された取引対象を示す参照リスト削除情報を記憶する記憶手段に前記参照リスト削除情報が記憶されている取引対象を特定する特定手段、前記特定手段により特定された取引対象が前記参照リストから削除されるよりも前に該取引対象が前記ユーザにより購入されたか否かを判定する判定手段、及び、前記特定手段により特定された取引対象の前記一覧表示における表示態様を、前記特定手段により特定されない場合の表示態様よりも目立たない表示態様に変える制御手段であって、前記判定手段により購入されていないと判定された場合、購入されたと判定された場合よりも前記特定手段により特定された取引対象の表示態様の変化量を大きくする制御手段、として機能させることを特徴とする。
【手続補正１６】
【補正対象書類名】明細書
【補正対象項目名】００２２
【補正方法】削除
【補正の内容】
【手続補正１７】
【補正対象書類名】明細書
【補正対象項目名】００９２
【補正方法】変更
【補正の内容】
【００９２】
システム制御部１４は、ステップＳ６４またはＳ６５において引き下げ量を設定すると、設定した引き下げ量に応じて、選択商品のリスティングスコアを引き下げる（ステップＳ６６）。例えば、システム制御部１４は、選択商品のリスティングスコアから、設定した引き下げ量を減算してもよいし、選択商品のリスティングスコアから、設定した引き下げ量を除算してもよい。システム制御部１４は、この処理を終えると、リスティングスコア引き下げ制御処理を終了させる。